(57)【特許請求の範囲】
【請求項１】
ＡＴＭ等の貨幣入出金機に硬貨を補給しうる交換可能な硬貨カセットにおいて、底部に硬貨を搬出可能としたスリットを開設した主ケース内に、異種類の硬貨を区分して集積しうるように硬貨集積筒を複数個併設し、各集積筒毎に前記主ケースの開放された頂部を閉止する蓋体に当該主ケース内に集積された硬貨に係合して硬貨の不必要な動揺を阻止しうる硬貨の暴れ防止手段における硬貨押え杆を、その下部が前記硬貨集積筒内に侵入して集積された硬貨に向かって接近可能に固設した硬貨カセットにおける硬貨暴れ防止装置。
【請求項２】
前記主ケースに前記蓋体を冠装した状態で、これらを一体状に結合するための前記蓋体に取り付けた複数の締付けトラップとこの締付けトラップを結合させるバックル手段とで構成された緊締手段を設けてなる請求項１記載の硬貨カセットにおける硬貨暴れ防止装置。
【請求項３】
前記緊締手段が、主ケースとこの主ケースに冠装した蓋体との外周を包囲する単一の締付けトラップとこの締付けトラップの両端を結合させるバックル手段とで構成された請求項１記載の硬貨カセットにおける硬貨暴れ防止装置。
【発明の詳細な説明】
【０００１】
【発明の属する技術分野】
この発明は、ＡＴＭ（オート・テラーズ・マシン）等の貨幣入出金機に採用されて好適な釣銭用硬貨の供給用の硬貨カセットの技術分野に属するものである。
【０００２】
【従来の技術】
従来、この種の機械・装置にあって、釣銭用の硬貨をバラ状態で補給したり、更には入金硬貨を釣銭として再利用することは広く実施されているところである。
【０００３】
この内で硬貨を補給する手法として、予め所要枚数の硬貨を収納した硬貨カセットを用意しておき、必要に応じては、この硬貨カセットをＡＴＭ等に装填して、その硬貨を釣銭として利用することも実用化されている。
【０００４】
その一例としては、本出願人の出願に係る特公平２−４８９５０号公報（公知例）が挙げられる。
【０００５】
この公知例によれば、カセットケースを自在に装着脱することにより、軽便に釣銭を補給しうるものであって、実用性に優れたものである。
【０００６】
しかしながら、この公知例にあっては、その取り扱い方によっては硬貨を収納したカセットケースの運搬中に集積筒内で硬貨が動揺し（硬貨の暴れ）、傾斜状に積層されたり、場合によっては一部の硬貨が起立状態となってしまうおそれがあり、結果的に釣銭用として硬貨を取り出す際に、その動作不良を引き起こし、顧客に不安と迷惑を与えかねないことも懸念されていた。
【０００７】
【発明が解決しようとする課題】
この発明が解決しようとする主たる課題点は、硬貨カセット用に収納した硬貨を安定的に支持して、硬貨の暴れ現象を安全に防止出来るものを提供することである。
【０００８】
この発明が解決しようとする第２の課題点は、前記の硬貨の暴れを未然防止することにより、出金指令によって確実に硬貨を取り出すことが出来るものを提供することである。
【０００９】
この発明が解決しようとする第３の課題点は、予め設定した所要枚数の硬貨を集積筒内に安定的に保持しうるものを提供することである。
【００１０】
この発明が解決しようとする第４の課題点は、硬貨カセットの主ケースと硬貨押え手段を設けた蓋体とを安全に結合する緊締手段を備えたものを提供することである。
【００１１】
この発明が解決しようとする第５の課題点は、前記の緊締手段がトラップとバックルとで構成されていて、主ケースと蓋体との緊締及び分離が安全で容易であるものを提供することである。
【００１２】
この発明が解決しようとする第６の課題点は、把持手段を設けて携行容易なものを提供することである。
【００１３】
【課題を解決するための手段】
前記した各課題点を解決するための具体的な手段は特許請求の範囲に記載してあり、次の通りである。
【００１４】
(1)  ＡＴＭ等の貨幣入出金機に硬貨を補給しうる交換可能な硬貨カセットにおいて、底部に硬貨を搬出可能としたスリットを開設した主ケース内に、異種類の硬貨を区分して集積しうるように硬貨集積筒を複数個併設し、各集積筒毎に前記主ケースの開放された頂部を閉止する蓋体に当該主ケース内に集積された硬貨に係合して硬貨の不必要な動揺を阻止しうる硬貨の暴れ防止手段における硬貨押え杆を、その下部が前記硬貨集積筒内に侵入して集積された硬貨に向かって接近可能に固設した硬貨カセットにおける硬貨暴れ防止装置。
【００１５】
(2)  前記主ケースに前記蓋体を冠装した状態で、これらを一体状に結合するための前記蓋体に取り付けた複数の締付けトラップとこの締付けトラップを結合させるバックル手段とで構成された緊締手段を設けてなる前記(1)記載の硬貨カセットにおける硬貨暴れ防止装置。
【００１６】
(3)  前記緊締手段が、主ケースとこの主ケースに冠装した蓋体との外周を包囲する単一の締付けトラップとこの締付けトラップの両端を結合させるバックル手段とで構成された前記(1)記載の硬貨カセットにおける硬貨暴れ防止装置。
【００２６】
【発明の実施の形態】
次に、この発明の実施の形態を示す図面について説明する。
【００２７】
１．共通手段
以下に説明する実施の形態１〜３の硬貨カセット１００（Ａ、Ｂ）の共通している点は、図１に示すＡＴＭ等の硬貨入出金機２００の硬貨投出部である支持部２１０に交換可能に装着しうるものであり、その構成上は、内部に異種類の硬貨を区分して収納しうる集積筒１１１〜１１６を複列状に形成した主ケース１０の頂部１２には、集積された硬貨Ｃを安定させる収納硬貨の暴れ防止手段２０を設けた蓋体３０を装着脱可能に配設すると共に、底部１３には、硬貨の押し出しユニット２２０が関与しうる硬貨スリット１４を開設させている点である。
【００２８】
又、前記の蓋体３０を主ケース１０から離脱しないようにするための緊締手段４０の伸縮性のある締付けトラップ４１を蓋体３０に取り付け、バックル手段４２によって締付け可能に構成している。
【００２９】
尚、５０は主ケース１０の側面に配設された携帯用のハンドルである。
【００３０】
２．共通の使用法
この硬貨カセット１００（Ａ、Ｂ）を使用する際には、予め所要枚数の異種類の硬貨Ｃが各集積筒１１１〜１１６に収納された硬貨カセット１００（Ａ、Ｂ）を図１に示す硬貨入出金機２００に装着する際には、図２に示すようにカセット支持部２１０を開放し、硬貨カセット１００（Ａ、Ｂ）を装填する。
【００３１】
この状態において、硬貨入出金機２００の硬貨押し出しユニット２２０が主ケース１０の底部１３に開設した硬貨スリット１４に出没可能に関与しうる状態とされることは言うまでもない。
【００３２】
次いでカセット支持部２１０を閉止し、通常の硬貨入出金作業のために待機させうるものである。
【００３３】
又、硬貨カセット１００（Ａ、Ｂ）内に装填した硬貨Ｃが使用により不足した際には、通常の光電検出手段、その他の残留硬貨検出手段（図示略）により、これを報知させ、前記と同様にカセット支持部２１０を開放して硬貨カセット１００（Ａ、Ｂ）を取り出し、交換しうるものである。
【００３４】
又、使用により硬貨不足となった硬貨カセット１００（Ａ、Ｂ）については、再び所要の硬貨Ｃを充填して再利用出来ることは言うまでもないことである。
【００３５】
次に、この発明の要部をなす硬貨暴れ防止手段２０について実施の形態毎に詳しく説明する。
【００３６】
（実施の形態１）
図３に示すように、この硬貨カセット１００は、両側縁にトラップ環３１を形成した蓋体３０の長手方向に沿って、集積筒１１１〜１１６に侵入しうる複数の硬貨押え杆２１〜２６を高さ位置変更可能に垂設するものであって、図４、５に示すように、この硬貨押え杆２１〜２６の支持手段２７には押し込み方向にのみ可動状態であって硬貨Ｃを押圧可能となるようにラチェット機構を内装している（図示略）。
【００３７】
従って、使用に当たっては、予め各集積筒１１１〜１１６内に所要枚数の異種類の硬貨Ｃをそれぞれ区分して収容させ、図３に示すように蓋体３０を主ケース１０に係合させた後、バックル手段４２を利用して締付けトラップ４１を締付けて蓋体３０を主ケース１０に一体状に結合した後、図４、図５において矢印に示すように各硬貨押え杆２１をその先端が硬貨Ｃに当接するまで押し下げる。
【００３８】
この状態では、硬貨Ｃは安定的に押圧支持されており、ラチェット機構により硬貨押え杆２１はズレ動いて硬貨Ｃの支持が不安定となるおそれはない。
【００３９】
従って、この状態でハンドル５０を把持して警送する際にも集積筒１１１〜１１６内で硬貨Ｃの暴れが発生するおそれはないものである。
【００４０】
又、使用後の硬貨押え杆２１については、ラチェット機構を解除して硬貨押え杆２１を解放し、一旦引き上げ、硬貨Ｃを補給収納させた後、主ケース１０に蓋体３０を結合させ、再びラチェット機構を動作させ、硬貨Ｃを押圧させた状態として次の硬貨カセット１００の使用のために待機しうるものである。
【００４１】
（実施の形態２）
図７〜図１０に示す実施の形態２の特徴点は、予め長さが変更された複数の硬貨押え杆２１Ａを集積筒１１１Ａ〜１１６Ａに対応する位置で蓋体３０Ａに不動状に一体的に垂設した点である。
【００４２】
これは、一般的に、硬貨カセット１００（Ａ、Ｂ）に予め硬貨を収納してＡＴＭ等の硬貨入出金機２００に装填しようとする場合、例えば、各金種とも、予め定められた枚数の１００枚ずつ収納させることにより、その集積高さが予め定められることで可能となるためである。
【００４３】
この硬貨カセット１００Ａにあっては、主ケース１０Ａに蓋体３０Ａを装着し、締付けトラップ４１Ａをバックル手段４２Ａで締付けるだけで、直ちに硬貨Ｃは押え杆２１Ａにより押圧支持されるので操作が簡単で、部品数も少なく、コストの低減を図ることが出来るものである。
【００４４】
（実施の形態３）
図１１〜図１４に示す実施の形態３の硬貨カセット１００Ｂが実施の形態２と相違する特徴的な点は、一本の締付けトラップ４１Ｂを主ケース１０Ｂのみならず蓋体３０Ｂにも巻装し、バックル手段４２Ｂで締付けるようにした点にある。
【００４５】
この硬貨カセット１００Ｂの機能は、他の硬貨カセット１００（Ａ）と共通しているので重ねて説明は行わないが、トラップ環３１が省略され、締付けトラップ４１Ｂも一本だけ用意して、硬貨カセット１００Ｂの全周を巻装して主ケース１０Ｂと蓋体３０Ｂとを結合すればよいので、操作が簡易で一層の低コスト化を図ることが出来るものである。
【００４６】
【発明の効果】
以上説明したこの発明によってもたらされる特有の効果を挙げると次の如くである。
【００４７】
▲１▼  硬貨カセット内の硬貨の暴れを防止出来る。
【００４８】
▲２▼  所要の金種の硬貨を所要枚数、安定的に収納出来る。
【００４９】
▲３▼  主ケースと蓋体とを結合・分離させて容易に釣銭硬貨を補充出来る。
【００５０】
▲４▼  携行・警送を容易としたものである。
【図面の簡単な説明】
【図１】この発明に係る硬貨カセットを装填した硬貨入出金機の概略正面図。
【図２】図１の硬貨支持部の一部切断側面図。
【図３】この発明の実施の形態１の硬貨カセットの正面図。
【図４】図３の組み立て説明図。
【図５】図３の組み立て側面図。
【図６】図３の平面図。
【図７】この発明の実施の形態２の硬貨カセットの正面図。
【図８】図７の組み立て説明図。
【図９】図７の組み立て側面図。
【図１０】図７の平面図。
【図１１】この発明の実施の形態３の硬貨カセットの正面図。
【図１２】図１１の組み立て説明図。
【図１３】図１１の組み立て側面図。
【図１４】図１１の平面図。
【符号の説明】
１００（Ａ、Ｂ）                    主ケース
１１１（Ａ、Ｂ）〜１１６（Ａ、Ｂ）  集積筒
１４（Ａ、Ｂ）                      スリット
２１（Ａ、Ｂ）〜２６（Ａ、Ｂ）      硬貨押え杆
３０（Ａ、Ｂ）                      蓋体
４１（Ａ、Ｂ）                      締め付けトラップ
４２（Ａ、Ｂ）                      バックル
５０（Ａ、Ｂ）                      ハンドル
【図１】
0003875050.tif 000002
【図２】
0003875050.tif 000003
【図３】
0003875050.tif 000004
【図４】
0003875050.tif 000005
【図５】
0003875050.tif 000006
【図６】
0003875050.tif 000007
【図７】
0003875050.tif 000008
【図８】
0003875050.tif 000009
【図９】
0003875050.tif 000010
【図１０】
0003875050.tif 000011
【図１１】
0003875050.tif 000012
【図１２】
0003875050.tif 000013
【図１３】
0003875050.tif 000014
【図１４】
0003875050.tif 000015